(57)【要約】【課題】省エネルギーモードから復帰したとき、操作表示部を迅速に立ち上げてユーザの使用勝手を向上させる。【解決手段】アプリケーションが拡張されシステム制御部３３が付加されると、操作表示部３６はシステム制御部３３のＲＩＳＣ３３１で入出力が制御される。省エネルギーモードになると操作表示部３６との接続を複写制御部３２に切り換え、操作表示部３６の入出力制御を複写制御部３２のＣＩＳＣ３２１に切り換え、システム制御部３３のＲＩＳＣ３３１に供給している電力を遮断する。省エネルギーモードから復帰したとき、複写制御部３２のＣＩＳＣ３２１で操作表示部３６を立ち上げ、操作表示部３６の入出力制御をシステム制御部３３のＲＩＳＣ３３１に切り換える。【選択図】    図４
2004343394.tif 000002
【特許請求の範囲】
【請求項１】
画像形成処理のアプリケーションの拡張形態に応じて操作表示部を異なるＣＰＵで制御する画像形成装置において、
前記操作表示部に電力を供給して立ち上げるときに、前記操作表示部を制御する複数のＣＰＵのなかでイニシャル動作時間が短い方のＣＰＵにより前記操作表示部を制御することを特徴とする画像形成装置
【請求項２】
画像形成処理のアプリケーションの拡張形態に応じて操作表示部を異なるＣＰＵで制御する画像形成装置において、
省エネルギーモードから復帰して前記操作表示部に電力を供給して立ち上げるときに、前記操作表示部を制御する複数のＣＰＵのなかでイニシャル動作時間が短い方のＣＰＵにより前記操作表示部を制御することを特徴とする画像形成装置。
【請求項３】
複写処理と画像形成部分のシーケンシャル制御を実施するＣＰＵと、画像形成処理のアプリケーションの拡張処理を行うＣＰＵとを有し、定常状態では操作表示部との入出力をアプリケーションの拡張処理を行うＣＰＵで行う画像形成装置において、
省エネルギーモードから復帰して前記操作表示部に電力を供給して立ち上げるときに、前記複写処理と画像形成部分のシーケンシャル制御を実施するＣＰＵにより前記操作表示部を制御することを特徴とする画像形成装置。
【請求項４】
前記複写処理と画像形成部分のシーケンシャル制御を実施するＣＰＵはＣＩＳＣであり、画像形成処理のアプリケーションの拡張処理を行うＣＰＵはＲＩＳＣである請求項３記載の画像形成装置。
【請求項５】
前記省エネルギーモードのときに、前記画像形成処理のアプリケーションの拡張処理を行うＣＰＵに供給している電力を遮断する請求項３又は４記載の画像形成装置。
【請求項６】
複写処理と画像形成部分のシーケンシャル制御を実施するＣＩＳＣを有する複写制御部と、画像形成処理のアプリケーションの拡張処理を行うＲＩＳＣを有するシステム制御部とを有し、定常状態では操作表示部との入出力をシステム制御部のＲＩＳＣで行う画像形成装置の操作表示部の駆動方法であって、
省エネルギーモードになると、前記操作表示部との入出力の制御を複写制御部のＣＩＳＣに切り換え、前記システム制御部のＲＩＳＣに供給している電力を遮断し、
省エネルギーモードから復帰するとき、前記複写制御部のＣＩＳＣは、前記操作表示部のデバイスの初期化と設定を行い、前記操作表示部を立上げ、あらかじめ定めた一定時間内に前記システム制御部のＲＩＳＣが処理動作を開始したときに前記操作表示部の入出力制御を前記システム制御部のＲＩＳＣに移行し、あらかじめ定めた一定時間内に前記システム制御部のＲＩＳＣが処理動作を開始しないときに、前記操作表示部に異常を表示することを特徴とする画像形成装置の操作表示部の駆動方法。
【発明の詳細な説明】
【０００１】
【発明の属する技術分野】
この発明は、デジタル複合機等の画像形成装置及びその操作表示部の駆動方法、特に、省エネルギーモードから復帰したときの応答速度の向上に関するものである。
【０００２】
【従来の技術】
【特許文献１】特開２００１−３１３７５１号公報
【特許文献２】特開２００２−６７４４９号公報
近年、画像形成装置は複数のアプリケーションを搭載して複写機能やプリンタ機能及びファクシミリ機能を有するデジタル複合機が使用されている。このデジタル複合機は、単機能のデジタル複写機としての構成で出荷され、そのままの構成で使用されていることも多く、また、単機能のデジタル複写機に複数のアプリケーションを追加して複合機として使用することも多い。
【０００３】
このためデジタル複合機の基本となる単機能のデジタル複写機においては、あらゆる命令に対してそのまま対処できるように豊富な種類の命令を多く具備したＣＩＳＣ（ｃｏｍｐｌｅｘ  ｉｎｓｔｒｕｃｔｉｏｎ  ｓｅｔ  ｃｏｍｐｕｔｅｒ）を搭載して複写機能及びエンジン部やスキャナ部等の画像形成部分のシーケンシャル制御を行い、市場や工場でアプリケーションの拡張が行われると、機械語命令の種類を最低限必要なものに限り演算装置や命令実行制御装置を簡素化し、命令実行ピッチを上げたＲＩＳＣ（ｒｅｄｕｃｅｄ  ｉｎｓｔｒｕｃｔｉｏｎ  ｓｅｔ  ｃｏｍｐｕｔｅｒ）により複数のアプリケーションの処理を統合した構成とし、エンジン部やスキャナ部等の画像形成部分の制御をＣＩＳＣにより行うようにしている。また、単機能のデジタル複写機の場合、操作表示部はＣＩＳＣが制御し、アプリケーションの拡張が行われるとＲＩＳＣにより複数のアプリケーションを統合した形で操作表示部を制御している。
【０００４】
このようなデジタル複合機には、特許文献１や特許文献２に示すように、各種動作の実行が可能な状態で待機する待機モードから電力負荷の大部分をオフにして節電を図る省エネルギーモードに移行する機能を有する。
【０００５】
【発明が解決しようとする課題】
前記のようにデジタル複合機で省エネルギーモードから復帰したとき、操作表示部をＲＩＳＣで制御していると、ＲＩＳＣのブート処理やメモリエリアのＲＡＭチェック、ＯＳ、カーネルの起動が終了した後にデジタル複合機の状態や諸設定に合わせた表示画面となるため、非常にレスポンスや立上りが遅くなる。このためユーザはデジタル複合機の状態や諸設定の状態を迅速に確認できず使用勝手が悪くなるという短所がある。
【０００６】
また、省エネルギーモードに移行したとき、高速動作で消費電力が多いＲＩＳＣの電源を遮断することはできず、省エネルギー効果が低減するという短所もある。
【０００７】
この発明はかかる短所を改善し、省エネルギーモードから復帰したとき、操作表示部を迅速に立ち上げてユーザの使用勝手を向上するとともに、省エネルギー効果をより高め、且つＣＰＵが増加することを防ぎ、コストと規模を低減することができる画像形成装置及びその操作表示部の駆動方法を提供することを目的とするものである。
【０００８】
【課題を解決するための手段】
この発明の画像形成装置は、画像形成処理のアプリケーションの拡張形態に応じて操作表示部を異なるＣＰＵで制御する画像形成装置において、操作表示部に電力を供給して立ち上げるときに、操作表示部を制御する複数のＣＰＵのなかでイニシャル動作時間が短い方のＣＰＵにより操作表示部を制御して、操作表示部を迅速に立ち上げることを特徴とする。
【０００９】
この発明の第２の画像形成装置は、画像形成処理のアプリケーションの拡張形態に応じて操作表示部を異なるＣＰＵで制御する画像形成装置において、省エネルギーモードから復帰して操作表示部に電力を供給して立ち上げるときに、操作表示部を制御する複数のＣＰＵのなかでイニシャル動作時間が短い方のＣＰＵにより操作表示部を制御することを特徴とする。
【００１０】
この発明の第３の画像形成装置は、複写処理と画像形成部分のシーケンシャル制御を実施するＣＰＵと画像形成処理のアプリケーションの拡張処理を行うＣＰＵとを有し、定常状態では操作表示部との入出力をアプリケーションの拡張処理を行うＣＰＵで行う画像形成装置において、省エネルギーモードから復帰して操作表示部に電力を供給して立ち上げるときに、複写処理と画像形成部分のシーケンシャル制御を実施するＣＰＵにより操作表示部を制御することを特徴とする。この複写処理と画像形成部分のシーケンシャル制御を実施するＣＰＵはＣＩＳＣを使用し、画像形成処理のアプリケーションの拡張処理を行うＣＰＵはＲＩＳＣを使用する。
【００１１】
また、省エネルギーモードのときに、画像形成処理のアプリケーションの拡張処理を行うＣＰＵに供給している電力を遮断して、省エネルギー効果をより高める。
【００１２】
この発明の画像形成装置の操作表示部の駆動方法は、複写処理と画像形成部分のシーケンシャル制御を実施するＣＩＳＣを有する複写制御部と、画像形成処理のアプリケーションの拡張処理を行うＲＩＳＣを有するシステム制御部とを有し、定常状態では操作表示部との入出力をシステム制御部のＲＩＳＣで行う画像形成装置の操作表示部の駆動方法であって、省エネルギーモードになると、操作表示部との入出力の制御を複写制御部のＣＩＳＣに切り換え、システム制御部のＲＩＳＣに供給している電力を遮断し、省エネルギーモードから復帰するとき、複写制御部のＣＩＳＣは、操作表示部のデバイスの初期化と設定を行い、操作表示部を立上げ、あらかじめ定めた一定時間内にシステム制御部のＲＩＳＣが処理動作を開始したときに操作表示部の入出力制御をシステム制御部のＲＩＳＣに移行し、あらかじめ定めた一定時間内にシステム制御部のＲＩＳＣが処理動作を開始しないときに、操作表示部に異常を表示することを特徴とする。
【００１３】
【発明の実施の形態】
図１はこの発明の複写機能とプリンタ機能及びファクシミリ機能を有するデジタル複合機の構成図である。図に示すように、デジタル複合機１は複写機本体２と原稿自動送り装置（以下、ＡＤＦという）３と自動仕分け装置４とを有する。複写機本体２は原稿読取ユニット５と書込ユニット６とエンジン部７と給紙ユニット８を有する。原稿読取ユニット５は光源と複数のミラーを有するキャリッジ９とレンズ１０とＣＣＤ１１及びバッファ１２を有し、ＡＤＦ３で送られた原稿を走査して読み取る。書込ユニット６はレーザ光源やポリゴンミラー等を有し、画像情報を含むレーザビーム１３をエンジン部７に出射する。エンジン部７は、画像形成ユニット１４と１次転写ユニット１５と２次転写ユニット１６及び定着ユニット１７を有する。画像形成ユニット１４は、感光体１８の周囲に配置された帯電チャージャ１９と書込ユニット５からのレーザビーム１３の照射部とシアン（Ｃ），マゼンタ（Ｍ），イエロー（Ｙ），ブラック（Ｋ）からなる回転式のカラー現像部２０及びドラムクリーニング部２１を有し、帯電チャージャ１９で帯電した感光体１８上にレーザビーム１３で静電潜像を形成し、形成した静電潜像をカラー現像部２０で可視化してトナー像を形成する。１次転写ユニット１５は中間転写ベルト２２と１次転写部２３とテンションローラ２４と２次転写ローラ２５とクリーニング部２６及び基準位置センサ２７を有し、感光体１８に形成されたトナー像を中間転写ベルト２２に１次転写する。中間転写ベルト２２は、このデジタル複写機１における最大転写紙サイズであるＡ３よりも大きく形成されており、使用する転写紙がＡ４サイズ以下の場合には、２面分のトナー像を保持することができる。この中間転写ベルト２２は感光体１８上のトナー像を１次転写するとき以外は図示しない接離機構によって感光体１８表面から離れ、中間転写ベルト２２に画像を１次転写するときだけ感光体１８表面に圧接される。２次転写ユニット１６は中間転写ベルト２２に転写されたトナー像を記録紙に２次転写する。定着ユニット１７は記録紙に転写されたトナー像を熱と圧力で定着する。給紙ユニット８は複数の給紙カセット２８ａ〜２８ｃと手差トレイ２９を有し、記録紙を２次転写ユニット１６に送る。
【００１４】
ＡＤＦ３は読み取る原稿を原稿読取ユニット５に送り、原稿読取ユニット５で読み取った原稿を回収する。自動仕分け装置４は複数段の仕分けビン３０ａ〜３０ｎを有し、画像が形成された記録紙を仕分けして排出する。
【００１５】
このデジタル複合機１で原稿読取ユニット５で読み取った原稿の画像形成サイクルが始まると、形成する画像が１色の場合は、読み取った原稿の画像データにより感光体１８にトナー像を形成し、形成されたトナー像を中間転写ベルト２２に１次転写する。２次転写ユニット１６は中間転写ベルト２２に転写されたトナー像の先端に合わせて給紙された記録紙にトナー像を２次転写する。トナー像を転写した記録紙は定着ユニット１７に送られ加熱，加圧して定着される。トナー像が定着された記録紙は自動仕分け装置４に排出される。また、中間転写ベルト２２に残留しているトナーはクリーニング部２６で回収する。
【００１６】
形成する画像が２色以上の場合は、中間転写ベルト２２に設けた基準マークを基準位置センサ２７で検出したことを基準にして原稿読取ユニッ５で原稿を読み取り、読み取った画像データを画像メモリに格納するとともに感光体１８に第１色目のトナー像を形成し、感光体１８に形成したトナー像を中間転写ベルト２２に１次転写する。引き続いて画像メモリに格納された画像データにより感光体１８に第２色目のトナー像を形成し、感光体１８に形成したトナー像を中間転写ベルト２２に１次転写する。この感光体１８に対する画像形成と中間転写ベルト２２に対する１次転写を各色毎に繰り返す。すなわち、２色の画像を形成する場合には中間転写ベルト２２を２回転し、フルカラーの画像を形成する場合には中間転写ベルト２２を４回転して、各回転毎に感光体１８に形成されたトナー像を中間転写ベルト２２に１次転写して各色の画像を位置ずれなしに重ね合わせる。所定の色のトナー像を中間転写ベルト２２に転写したら、中間転写ベルト２２に転写されたトナー像の先端に合わせて給紙された記録紙にトナー像を２次転写し、定着ユニット１７で加熱，加圧して定着する。
【００１７】
また、基準サイズ例えばＡ４サイズで縦向きの原稿の画像のトナー像を２面分同時に中間転写ベルト２２に転写する２面取りモードのときは、１面目のトナー像を中間転写ベルト２２に転写してから中間転写ベルト２２の周長と原稿サイズで定まる所定のタイミングをおいて２面目のトナー像を中間転写ベルト２２に転写する。フルカラーの画像を形成する場合には中間転写ベルト２２を４回転して、各回転毎に感光体１８に形成されたトナー像を中間転写ベルト２２に１次転写して各色の画像を位置ずれなしに重ね合わせる。所定の色のトナー像を中間転写ベルト２２に転写したら、中間転写ベルト２２に転写された各トナー像の先端に合わせて給紙された記録紙にトナー像を２次転写し、定着ユニット１７で加熱，加圧して定着して、画像が形成された２枚の記録紙を連続的に排出する。このようにして画像形成効率を高めることができる。
【００１８】
このデジタル複合機１の制御部３１には、図２のブロック図に示すように、複写制御部３２とシステム制御部３３と読取制御部３４及び書込制御部３５を有する。複写制御部３２は、ＣＩＳＣとＲＯＭ、ＲＡＭ、不揮発ＲＡＭを有し、アプリケーションの拡張が行われてない場合の複写アプリケーションと、操作表示部３６の入出力制御と、画像データの画像処理すなわち変倍処理やフィルタ処理やγ補正等と、原稿読取ユニット５と書込ユニット６とエンジン部７と給紙ユニット８の各種センサ３７や入出力部３８から入力するアクチュエータ等の入力信号や、モータやソレノイド及びクラッチに対する出力信号を制御する。
【００１９】
システム制御部３５は、デジタル複合機１の基本となる単機能のデジタル複写機にプリンタ機能やファクシミリ機能等の各種アプリケーションを追加するために設けたものであり、ＲＩＳＣやＲＯＭ、ＲＡＭ、不揮発ＲＡＭ、カレンダー機能チップを有し、システム全体のアプリケーションの制御と操作表示部３６の入出力制御及び画像メモリに対する画像データの記憶・蓄積制御を行う。また、外部コネクタ例えばＮＩＣやＵＳＢ、ＰＳＴＮ等を有しており、サーバや外部からのデータ処理を行う。読取り制御部３４は、原稿情報を読み取るためのＣＣＤを制御するタイミングを生成し、読み取った画像をデジタル信号として複写制御部３２に転送する。書込制御部３５は露光のためのレーザダイオードとその駆動部をを制御し、システム制御部３３からの画像データにより書き込み処理を行う。
【００２０】
このデジタル複合機１で電源装置３９から供給される電力は複写制御部３２に送られ、主制御部３１で常時通電となる電源系統と省エネルギーモードのときに電源遮断可能な電源系統に分割される。省エネルギーモードのときの電源遮断は、複写制御部３２に設けたＦＥＴやトランジスタ等の駆動素子で行う。また、常時通電となる電源系統としては、複写制御部３２とシステム制御部３３の一部及び省エネルギー状態からの復帰要因となるセンサ類であり、電源遮断可能な電源系統としては、操作表示部３６と各種センサ３７やアクチュエータやモータ、ソレノイド、クラッチ等に供給する電力である。
【００２１】
操作表示部３６は、各種モード設定のためのキー及びＬＥＤやＬＣＤ等の表示装置を有し、図３のブロック図に示すように、物理的には複写制御部３２に接続され、アプリケーションの拡張のためにシステム制御部３３が設けられてデジタル複合機１の状態になったとき、システム制御部３３により制御される。すなわち、アプリケーションの拡張が行われずに、システム制御部３３が存在しない場合、操作表示部３６は複写制御部３２とシリアルデータの入出力を行い、ＣＩＳＣ３２１でＬＣＤドライバ設定やＬＣＤ表示データ、ＬＥＤ点灯データの指示を行なう。操作表示部３６のキー押下のデータは、操作表示部３６から出力されるシリアルデータにより複写制御部３２のＣＩＳＣ３２１で認識している。アプリケーションが拡張されシステム制御部３３が付加されると、操作表示部３６はシステム制御部３３に接続される。このときシステム制御部３３のＲＩＳＣ３３１から複写制御部３２に出力される接続検知信号により複写制御部３２のＣＩＳＣ３２１はシステム制御部３３が接続されたことを検知して、複写制御部３２と操作表示部３６のシリアルデータラインをハイインピーダンス状態にして、操作表示部３６との入出力をシステム制御部３３のＲＩＳＣ３３１で行わせる。なお、この操作表示部３６との接続の切換はオープンドレインでのワイヤードＯＲ構成でも良い。また、省エネルギーモードから復帰したときにシステム制御部３３のＲＩＳＣ３３１で操作表示部３６の電源復帰を制御していると非常にレスポンスが悪い。そこで省エネルギーモードになると操作表示部３６との接続を複写制御部３２に切り換え、操作表示部３６の入出力制御を複写制御部３２のＣＩＳＣ３２１に切り換える。そして複写制御部３２はシステム制御部３３のＲＩＳＣ３３１に供給している電力を遮断する。
【００２２】
このように省エネルギーモードになると操作表示部３６との接続を複写制御部３２に切り換え、システム制御部３３のＲＩＳＣ３３１に供給している電力を遮断して、高速動作で消費電流の多いＲＩＳＣ３３１を省エネルギー期間中は動作を停止させることにより、省エネルギー効果をより向上することができる。
【００２３】
このデジタル複合機１で省エネルギーモードから復帰したときに操作表示部３６を複写制御部３２のＣＩＳＣ３２１で立ち上げるときの動作を図４のフローチャートを参照して説明する。
【００２４】
デジタル複合機１が省エネルギーモードから復帰して電圧監視ＩＣによるハードリセット信号が解除され、省エネルギーモードで電源が遮断されている部分に電力の供給が開始すると（ステップＳ１）、主制御部２１のＣＩＳＣ３２１は操作表示部３６に実装されている各デバイスの初期化と設定を行い（ステップＳ２）、システム制御部３３のＲＩＳＣ３３１からの接続検知信号の状態を検出して判定する（ステップＳ３）。この接続検知信号の状態がＨであればシステム制御部３３は未接続であり、Ｌであればシステム制御部３３が接続されていると判定する。システム制御部３３が接続されていなく、デジタル複合機１が単機能のデジタル複写機の状態の場合、主制御部２１のＣＩＳＣ３２１は操作表示部３６にシリアルデータを送り「お待ちください」と表示させる（ステップＳ５）。その後、ＣＩＳＣ３２１はエンジン部７が動作可能な状態になると（ステップＳ６）、操作表示部３６にシリアルデータを送り複写アプリケーションの初期画面を表示する（ステップＳ７）。
【００２５】
また、複写制御部３２のＣＩＳＣ３２１で接続検知信号がＬであることを確認すると、そのときからの時間の計数を開始し（ステップＳ８）、システム制御部３３とのシリアルチャネルの設定と通信要求（ブレークシーケンス）を行い（ステップＳ９）、操作表示部３６にシリアルデータを送り「お待ちください」と表示させる（ステップＳ１０）。この状態でシステム制御部３３とのシリアルチャネルが開通したかどうかを確認し（ステップＳ１１）、計数している時間が一定時間、例えば５秒経過してもシステム制御部３３とのシリアルチャネルが開通しない場合（ステップＳ１２）、操作表示部３６にシリアルデータを送り、自己診断の結果異常であることを表示させる（ステップＳ１３）。また、省エネルギーモードから復帰してから一定時間以内にシステム制御部３３とのシリアルチャネルが開通すると（ステップＳ１１）、操作表示部３６とのシリアルチャネルをハイインピーダンスにしたり動作を停止させて、操作表示部３６の入出力制御をシステム制御部３３のＲＩＳＣ３３１に移行する（ステップＳ１４）。
【００２６】
このようにデジタル複合機１が省エネルギーモードになったときに、操作表示部３６の入出力制御をシステム制御部３３のＲＩＳＣ３３１から複写制御部３２のＣＩＳＣ３２１に切り換えることにより、省エネルギーモードから復帰したときに操作表示部３６を迅速に立ち上げることができる。すなわち、システム制御部のＲＩＳＣ３３１は、一般的に数１００ｍｓのハードリセット期間後に、大容量のＲＡＭチェック、カーネルやＯＳの起動を行い、各アプリケーションの状態チェックと初期化を含むと４〜５秒後に操作表示部３６等の制御が可能な定常状態になるのに対して、複写制御部３２のＣＩＳＣ３２１は、一般的に数１００ｍｓのハードリセット期間後に、ＣＰＵイニシャライズとＲＡＭチェックとエンジン入出力部の初期化等を行い、１秒弱で操作表示部３６を含むエンジン制御が可能な定常状態となるからである。
【００２７】
【発明の効果】
この発明は以上説明したように、操作表示部に電力を供給して立ち上げるとき又は省エネルギーモードから復帰して操作表示部に電力を供給して立ち上げるとき、操作表示部を制御する複数のＣＰＵのなかでイニシャル動作時間が短い方のＣＰＵにより操作表示部を制御することにより、操作表示部を迅速に立ち上げることができ、使用勝手を向上することができる。
【００２８】
また、複写処理と画像形成部分のシーケンシャル制御を実施するＣＰＵと画像形成処理のアプリケーションの拡張処理を行うＣＰＵとを有し、定常状態では操作表示部との入出力をアプリケーションの拡張処理を行うＣＰＵで行う画像形成装置で、省エネルギーモードから復帰して操作表示部に電力を供給して立ち上げるときに、複写処理と画像形成部分のシーケンシャル制御を実施するＣＰＵにより操作表示部を制御することにより、操作表示部を迅速に立ち上げることができる。
【００２９】
また、複写処理と画像形成部分のシーケンシャル制御を実施するＣＰＵにはＣＩＳＣを使用し、画像形成処理のアプリケーションの拡張処理を行うＣＰＵにはＲＩＳＣを使用することにより、省エネルギーモードから復帰したときに、操作表示部を１秒程度で立ち上げることができ、使用者の待ち時間をなくして使用勝手を向上することができる。
【００３０】
さらに、省エネルギーモードのときに、画像形成処理のアプリケーションの拡張処理を行うＣＰＵに供給している電力を遮断することにより、省エネルギー効果をより高め、且つＣＰＵが増加することを防ぎ、コストと規模を低減することができる。
【００３１】
また、複写処理と画像形成部分のシーケンシャル制御を実施するＣＩＳＣを有する複写制御部と、画像形成処理のアプリケーションの拡張処理を行うＲＩＳＣを有するシステム制御部とを有し、定常状態では操作表示部との入出力をシステム制御部のＲＩＳＣで行う画像形成装置で操作表示部を駆動するとき、省エネルギーモードになると、操作表示部との入出力の制御を複写制御部のＣＩＳＣに切り替え、システム制御部のＲＩＳＣに供給している電力を遮断し、省エネルギーモードから復帰するとき、複写制御部のＣＩＳＣで操作表示部を立上げ、システム制御部のＲＩＳＣが処理動作を開始したときに操作表示部の入出力制御をシステム制御部のＲＩＳＣに移行することにより、操作表示部を短時間に安定して立ち上げで入出力を制御することができる。
【００３２】
また、省エネルギーモードから復帰するとき、あらかじめ定めた一定時間内にシステム制御部のＲＩＳＣが処理動作を開始しないときに、操作表示部に異常を表示することにより、装置の動作状態を確実に使用者に伝えることができる。
【図面の簡単な説明】
【図１】この発明のデジタル複合機の構成図である。
【図２】制御部の構成を示すブロック図である。
【図３】操作表示部に対する複写制御部とシステム制御部の接続状態を示すブロック図である。
【図４】操作表示部を複写制御部のＣＩＳＣで立ち上げるときの動作を示すフローチャートである。
【符号の説明】
１；デジタル複合機、２；複写機本体、３；ＡＤＦ、４；自動仕分け装置、
５；原稿読取ユニット、６；書込ユニット、７；エンジン部、
８；給紙ユニット、３１；制御部、３２；複写制御部、
３３；システム制御部、３４；読取制御部、３５；書込制御部、
３６；操作表示部、３７；各種センサ、３８；入出力部、３９；電源装置、
３２１；ＣＩＳＣ、３３１；ＲＩＳＣ。
【図１】
2004343394.tif 000003
【図２】
2004343394.tif 000004
【図３】
2004343394.tif 000005
【図４】
2004343394.tif 000006